(57)【要約】      （修正有）【課題】ユーザが車載機の画面を注視できないような状況においても音楽ファイル等のファイルの再生について指示可能な車載機を提供する。【解決手段】画像を表示する表示モニタと、車両停車中に所定の操作が行われた場合に楽曲ファイル群を階層を追って前記表示モニタに表示することにより所望の楽曲ファイルの選曲を可能とするよう制御する楽曲選択手段と、車両走行中に前記所定の操作が行われた場合には、前記楽曲選択手段による選曲の制御を禁止し前記楽曲ファイル群の再生を開始する楽曲再生制御手段と、を備える車載装置が提供される。【選択図】図４
2009266265.tif 000002
【特許請求の範囲】
【請求項１】
画像を表示する表示モニタと、
車両停車中に所定の操作が行われた場合に楽曲ファイル群を階層を追って前記表示モニタに表示することにより所望の楽曲ファイルの選曲を可能とするよう制御する楽曲選択手段と、
車両走行中に前記所定の操作が行われた場合には、前記楽曲選択手段による選曲の制御を禁止し前記楽曲ファイル群の再生を開始する楽曲再生制御手段と、
を備えることを特徴とする車載装置。
【請求項２】
前記所定の操作とは、前記表示モニタに表示された所定のボタンに対する押下操作であること、を特徴とする請求項１に記載の車載装置。
【請求項３】
外部インタフェースを更に備え、
前記楽曲ファイル群は、前記外部インタフェースに接続された携帯用オーディオ機器に格納された楽曲ファイル群であり、
前記楽曲選択手段は、前記外部インタフェースを介して前記携帯用オーディオ機器とデータ通信を行うことで前記制御を行い、
前記楽曲再生制御手段は、前記外部インタフェースを介して前記携帯用オーディオ機器とデータ通信を行うことで前記再生を実行すること、を特徴とする請求項１または２に記載の車載装置。
【請求項４】
前記楽曲再生制御手段は、前記楽曲ファイル群を先頭から順に再生すること、を特徴とする請求項１から３のいずれかに記載の車載装置。
【請求項５】
前記楽曲再生制御手段は、所定の曲目リストデータに格納された曲目リストにしたがって前記楽曲ファイル群を再生すること、を特徴とする請求項１から３のいずれかに記載の車載装置。
【請求項６】
前記楽曲再生制御手段は、前記楽曲ファイル群をランダムに再生すること、を特徴とする請求項１から３のいずれかに記載の車載装置。
【請求項７】
前記楽曲再生制御手段は、前記楽曲ファイル群の再生と共に、所定の楽曲再生画面を表示すること、を特徴とする請求項１から６のいずれかに記載の車載装置。
【請求項８】
前記所定の楽曲再生画面は、再生される曲名のリストを表示すること、を特徴とする請求項７に記載の車載装置。
【請求項９】
前記所定の楽曲再生画面には、曲送りの為の操作ボタンがさらに提供されること、を特徴とする請求項７または８に記載の車載装置。
【発明の詳細な説明】
【技術分野】
【０００１】
本発明は、車載装置における音楽ファイル等のファイルの再生に関し、さらに詳細には階層構造を持つファイル群の再生に関する。
【背景技術】
【０００２】
車載装置にて階層構造を持つ音楽ファイル群を選択する操作は、階層構造の各レイヤごとに選択メニュー画面を提示し、ユーザに上位層から順にカテゴリ選択させることにより最終的な目的の楽曲ファイルに到達するという手順で行われるのが一般的である。
【０００３】
特許文献１には、多数の楽曲の中から希望の楽曲を選択する操作の負担を減らす為に、キー群に検索条件を割り当てることが記載されている。
【特許文献１】特開２００４−２８１０１３
【発明の開示】
【発明が解決しようとする課題】
【０００４】
ところで車両の走行中には安全の観点から映像ファイルの再生や、ドライバが楽曲選択操作等を行うことができないように車載装置を構成することが要望される。例えば、停車中に図１に示すような映像ファイルを再生中であるとする。この場合に車両が走行し始めると、図２に示すような、静止画像の表示に切り替え、音声のみの再生が行われる動作モードにするという方式である。図２の再生画面では、映像の再生が禁止され、静止画が表示されると共に“運転中は音声のみお楽しみ下さい”というメッセージが表示されている。なお、この場合、映像ファイルの選択操作は禁止される。
【０００５】
しかしながら、上記のように、走行中に一律に映像ファイル等の洗濯操作を禁止する構成では、ドライバは車両を停止させた状態でしか選択操作を行うことができず、操作性の改善が望まれることになる。
【０００６】
本発明は上記の問題に鑑みてなされたものである。すなわち、本発明は、ユーザが車載装置の画面を注視できないような状況においても音楽ファイル等のファイルの再生について指示可能な車載機を提供することを目的とする。
【課題を解決するための手段】
【０００７】
上記の目的を達成するため、本発明の一つの側面によれば、画像を表示する表示モニタと、車両停車中に所定の操作が行われた場合に楽曲ファイル群を階層を追って前記表示モニタに表示することにより所望の楽曲ファイルの選曲を可能とするよう制御する楽曲選択手段と、車両走行中に前記所定の操作が行われた場合には、前記楽曲選択手段による選曲の制御を禁止し前記楽曲ファイル群の再生を開始する楽曲再生制御手段と、を備える車載装置が提供される。
【０００８】
このような構成によれば、走行中に、簡単な操作で、階層を追う手順を踏まずに楽曲ファイルの再生に切り替えることができる。
【０００９】
所定の操作とは、表示モニタに表示された所定のボタンに対する押下操作であっても良い。
【００１０】
車載装置は外部インタフェースを更に備える構成であっても良い。この場合、楽曲ファイル群は、外部インタフェースに接続された携帯用オーディオ機器に格納された楽曲ファイル群である。楽曲選択手段は、外部インタフェースを介して前記携帯用オーディオ機器とデータ通信を行うことで前記制御を行い、楽曲再生制御手段は、外部インタフェースを介して携帯用オーディオ機器とデータ通信を行うことで前記再生を実行する。
【００１１】
楽曲再生制御手段は、楽曲ファイル群を先頭から順に再生する構成であっても良い。
【００１２】
楽曲再生制御手段は、所定の曲目リストデータに格納された曲目リストにしたがって楽曲ファイル群を再生する構成であっても良い。
【００１３】
楽曲再生制御手段は、楽曲ファイル群をランダムに再生する構成であっても良い。
【００１４】
楽曲再生制御手段は、楽曲ファイル群の再生と共に、所定の楽曲再生画面を表示する構成であっても良い。
【００１５】
所定の楽曲再生画面は、再生される曲名のリストを表示するよう構成されていても良い。
【００１６】
所定の楽曲再生画面には、曲送りの為の操作ボタンがさらに提供されていても良い。
【発明の効果】
【００１７】
本発明によれば、走行中に、簡単な操作で、階層を追う手順を踏まずに楽曲ファイルの再生に切り替えることができる。すなわち、ユーザが画面に注視できないような状況において、ユーザに負担をかけることなく楽曲ファイルの再生を行うことができる。
【発明を実施するための最良の形態】
【００１８】
以下、本発明の実施の形態につき、図面を用いて詳細に説明する。図６は、本発明の実施形態としてのナビゲーションシステム１の構成を表すブロック図である。図６に示すように、ナビゲーションシステム１は、制御部４、絶対位置・方位検出部１２、相対方位検出部１３、車速検出部１４を備える。これらの検出部１２、１３、１４は制御部４に接続され、車両の絶対値位置等の各種の情報を制御部４に提供する。ナビゲーションシステム１は、更に、ＲＯＭ５、ＤＲＡＭ６、ＳＲＡＭ７、ユーザインタフェース部９、表示部１０、入力部１１、ディスク制御部１５を備える。
【００１９】
なお、ナビゲーションシステム１は、ＵＳＢ等の外部機器インタフェースを有し、ｉＰｏｄ（登録商標）等の携帯用オーディオ機器を接続可能である。携帯用オーディオ機器が接続された場合には、制御部４は、携帯用オーディオ機器内の階層構造の音楽ファイル等の再生開始や、選曲操作を行う為のメニュー画面の提供などを行うことができる。詳細は後述する。
【００２０】
絶対位置・方位検出部１２は、ＧＰＳ衛星からの信号をアンテナを介して受信し、受信信号に基づきＧＰＳ測位を実行し、車両の現在位置や方位を算出する。相対方位検出部１３は、ジャイロセンサ等の方位検出用センサの出力に基づき車両の相対的な方位を検出する。車速検出部１４は、車両側から提供される車速パルスに基づき車両の現在の速度を検出する。車両が走行状態か停止状態かについては、例えば車速パルスに基づいて判断することができる。
【００２１】
制御部４は、詳細にはＣＰＵおよびその周辺回路を有し、ＲＯＭ５等に格納された各種プログラムに従いナビゲーションシステムとしての様々な機能を実現する為にシステム全体を制御する部分である。ＲＯＭ５は、ＢＩＯＳやブートプログラムを格納し、ナビゲーションシステム１の起動時に制御部４からアクセスされる。ＤＲＡＭ６は、制御部４内のＣＰＵのワークメモリとして用いられる。ＳＲＡＭ７は各種設定データ等を保持する。
【００２２】
表示部１０は例えば液晶パネルからなり、表示部１０には制御部４からの制御の下で地図や操作メニューなどの各種の情報が表示される。入力部１１は、リモコンやタッチパネルからなり、ユーザが各種の情報やコマンドをナビゲーションシステム１に入力する為に用いられる。ユーザインタフェース部９は、表示部１０および入力部１１と制御部４とを結ぶインタフェースとして機能する。詳細には、ユーザインタフェース部９は、Ｉ／Ｏ制御回路、ドライバ回路などを含む。
【００２３】
ディスク制御部１５は、地図データ等を記憶する部分である。記憶装置としては、ＣＤ−ＲＯＭ、ＤＶＤ−ＲＯＭ、ハードディスク、ＳＳＤ（Solid State Drive）等のディスク装置を用いることができる。
【００２４】
次に、停車時における楽曲選択操作について図３を参照して説明する。図３（ａ）は、停車時に表示部１０上に映像ファイルが再生されている状態を示している。また、ナビゲーションシステム１には携帯用オーディオ機器が接続されているものとする。図３（ａ）に示すように映像ファイル再生画面には楽曲の再生を指示する楽曲再生指示ボタン２１が設けられている。この楽曲再生指示ボタン２１は、図３（ａ）において“ミュージック”と表示されている。
【００２５】
図３（ａ）の映像表示画面で楽曲再生指示ボタン２１が押下されると、制御部４は、携帯用オーディオ機器中の階層構造の楽曲ファイルを階層を追って選択する為のメニュー画面を提示する。具体的には、はじめに、楽曲をカテゴリー分類したカテゴリー項目のメニュー画面を提示する（図３（ｂ）参照）。図３（ｂ）の画面を介してユーザは、カテゴリー選択を行う。なお、図３（ｂ）の画面では所定のボタンを操作して表示内容をスクロールさせることができる。
【００２６】
図３（ｂ）のメニュー画面を介してカテゴリー選択が行われると、制御部４は、選択されたカテゴリーに含まれる音楽ファイルを表示する（図３（ｃ）参照）。ユーザは所定のボタンを操作して表示内容をスクロールさせることができる。図３（ｃ）のメニュー画面においてユーザが所望の楽曲を選択すると、制御部４は、図３（ｄ）に示す楽曲再生画面を表示部１０上に表示すると共に、選択された楽曲の再生を開始する。
【００２７】
図３（ｄ）に示す楽曲再生画面では、再生中の楽曲名等が画面左下のボックス内に表示され。以降に再生される楽曲名などが、再生順に画面上に右回り順に並べられたボックス内に表示される。また、楽曲再生画面中央部には、トラックｕｐ／ｄｏｗｎ操作を行う為の操作ボタン３１，３２が提示される。楽曲再生画面上でユーザがボタン３１或いは３２をタッチパネル操作することで、トラックｕｐ／ｄｏｗｎを行うことができる。
【００２８】
次に、走行時における楽曲再生操作について図４を参照して説明する。この場合にも、ナビゲーションシステム１には、携帯用オーディオ機器が接続されているものとする。映像ファイルの再生中に車両が走行を始めたと判断されると、制御部４は、映像の再生を停止し音声のみの再生に切り替える。このとき、制御部４は、表示部１０に静止画像を表示する（図４（ａ））。図３（ａ）の場合と同様に、この静止画像には、楽曲再生指示ボタン２１が提供される。図３（ａ）の場合と同様に、この楽曲再生指示ボタン２１は、図４（ａ）において“ミュージック”と表示される。
【００２９】
走行中に楽曲再生指示ボタン２１が押下されると、制御部４は、図４（ｂ）に示す楽曲再生画面を表示部１０上に表示するとともに、携帯用オーディオ機器内の楽曲の再生を開始する。楽曲の再生は、楽曲再生指示ボタン２１が押下されたときに制御部４が携帯用オーディオ機器に所定のコマンドを送信することによって開始されても良い。この楽曲再生画面は、図３（ｄ）を参照し説明した画面と同様の構成となっている。
【００３０】
なお、楽曲再生指示ボタン２１が押下された場合の楽曲ファイルの再生手順としては、携帯用オーディオ機器内の楽曲ファイルを先頭から順に再生するやり方や、携帯用オーディオ機器内の楽曲ファイルをランダムに再生する手法など様々なやり方があり得る。ユーザが予め作成しておいてお気に入りの楽曲ファイル群の名称を格納したリストファイルに基づいて再生する、というやり方もあり得る。制御部４は、楽曲再生に関する種々のコマンドを外部インタフェースを介して携帯用オーディオ機器に対して送ることができる。
【００３１】
図３（ｄ）および図４（ｂ）に示される楽曲再生画面について更に説明する。上述したように楽曲再生画面の中央部には曲送りの為の操作ボタン３１、３２が提供されている。この操作ボタン３１或いは３２を操作することで再生中の楽曲ファイルの直前や直後のファイル再生に切り替えることができる。図５（ａ）〜（ｃ）は、楽曲再生画面での、曲名表示の模式図である。例えば、図５（ａ）に示すように、再生中の楽曲ファイル００１から右回りで６曲の楽曲ファイルが表示されているとする。この状態で操作ボタン３１、３２を介して曲送り操作がなされると、楽曲ファイル００２の再生が開始され、画面上には、楽曲ファイル００２から００７までが、右回りで順に表示される（図５（ｂ））。さらにこの状態で曲送り操作がなされれば、楽曲ファイル００３の再生が開始されると共に、画面上には、楽曲ファイル００３から００８までが右回りで順に表示される（図５（ｃ））。
【００３２】
楽曲再生画面において、操作ボタン３１、３２は、例えば操作ボタン３１が順送りとして機能し、操作ボタン３２が逆送りとして機能しても良いし、操作ボタン３１，３２共に順送りとして機能しても良い。
【００３３】
また、楽曲再生画面において、操作ボタン３１と操作ボタン３２の間隔は、ヒトの手の人差し指と中指の間隔に相当する。この構成は、ユーザが画面に注視せずとも曲送り操作をすることを可能にする。
【００３４】
図７は、楽曲再生指示ボタン２１をトリガし楽曲再生に至る上述の一連の動作をフローチャートとして表したものである。図７の動作は制御部４による制御の下で実行される。図７に示すように、楽曲再生指示ボタン２１が押下されると（ステップＳ１０１）、制御部４は車両が走行中であるか否かに従い動作を変える（ステップＳ１０２）。すなわち、走行中である場合には（Ｓ１０２：ＹＥＳ）、楽曲再生画面を表示すると共に楽曲の再生を開始する（ステップＳ１０３）。一方、停車中である場合には（Ｓ１０２：ＮＯ）、階層メニュー画面を表示し階層を追う手順による楽曲選択を受け付ける（ステップＳ１０４）。ステップＳ１０４を経て楽曲が選択されると、楽曲再生画面が表示されると共に楽曲再生が開始される（Ｓ１０３）。上述の一連の動作は、制御部４が、走行中には階層を追う手順による楽曲選択を禁止する動作とみなすこともできる。
【００３５】
以上が本発明の実施形態である。本実施形態によれば、走行中に、楽曲再生指示ボタン２１の押下という簡単な操作で、階層を追う手順を踏まずに楽曲ファイルの再生に切り替えることができる。すなわち、ユーザが画面に注視できないような状況において、ユーザに負担をかけることなく楽曲ファイルの再生を行うことができる。
【００３６】
特に、停車中に楽曲選択を開始するためのボタンと、走行中に楽曲再生を開始するためのボタンが同じものであるので、ユーザの感覚的な操作が容易になる。
【００３７】
上述の実施形態は様々な変形が可能である。例えば、上述の実施形態では、走行中の楽曲再生画面（図４（ｂ）参照）において、操作ボタン３１，３２による曲送りが可能であると説明したが、走行中には操作ボタン３１、３２による操作を禁止する構成もあり得る。この場合でも、走行中の楽曲再生指示ボタン２１の押下という容易な操作により楽曲ファイルの再生を開始できるという効果は達成することができる。
【００３８】
上述の実施形態は、楽曲ファイルの再生に関するものであったが、走行中の再生対象としてのファイルは、音に関する様々なタイプのファイルがあり得る。
【図面の簡単な説明】
【００３９】
【図１】図１は停車中における映像再生画面の例を示す図である。
【図２】図２は映像再生状態から走行を開始した場合の表示画面の例である。
【図３】図３は、停車時における楽曲選択操作の手順を表す図である。
【図４】図４は、走行時における楽曲再生操作を表す図である。
【図５】図５は、楽曲再生画面での曲送り動作を表す図である。
【図６】図６は、ナビゲーションシステムの構成を表すブロック図である。
【図７】楽曲再生の動作制御を表すフローチャートである。
【符号の説明】
【００４０】
１    ナビゲーションシステム
５    ＲＯＭ
６    ＤＲＡＭ
７    ＳＲＡＭ
９    ユーザインタフェース部
１０  表示部
１１  入力部
１２  絶対位置・方位検出部
１３  相対方位検出部
１４  車速検出部
１５  ディスク制御部
２１  楽曲再生指示ボタン
３１，３２  操作ボタン
【図１】
2009266265.tif 000003
【図２】
2009266265.tif 000004
【図３】
2009266265.tif 000005
【図４】
2009266265.tif 000006
【図５】
2009266265.tif 000007
【図６】
2009266265.tif 000008
【図７】
2009266265.tif 000009